(57)【要約】【課題】枚葉加工機に投入した用紙の員数を管理できるだけでなく，枚葉加工後の用紙を全数管理できる枚葉加工機の員数管理システムを提供する。【解決手段】枚葉加工機の員数管理システム１は，オフセット枚葉印刷機２に投入された用紙３に管理番号を印字するインクジェットプリンタ１１と，オフセット枚葉印刷機２の排紙部２２に排出される用紙３から管理番号を読み取るコードリーダ１２と，インクジェットプリンタ１１が印字した管理番号とコードリーダ１２が読み取った管理番号に基づき，オフセット枚葉印刷機２に投入された用紙の員数を管理する員数管理装置１０とから少なくとも構成される。【選択図】図１
2015009416.tif 000002
【特許請求の範囲】
【請求項１】
枚葉加工機の給紙部に設置するインクジェットプリンタと，枚葉加工機の排紙部に設置する排紙部コードリーダと，枚葉加工機に投入した用紙の員数を管理するために設置する員数管理装置とから少なくとも構成され，
前記インクジェットプリンタは，印字信号が外部から入力されると，枚葉加工機の給紙部から給紙される前記用紙に，前記員数管理装置が設定した印字条件に従い前記用紙毎に異なる管理番号を印字すると共に，前記用紙に印字した前記管理番号の印字履歴を記憶し，
前記排紙部コードリーダは，排紙側の読み取り信号が外部から入力されると，枚葉加工機の排紙部から排出された前記用紙に印字されている前記管理番号を読み取り，読み取った前記管理番号を前記員数管理装置へ送信し，
前記員数管理装置は，枚葉加工機の給紙部から加工部に搬送される前記用紙に印字する前記管理番号の印字内容を前記インクジェットプリンタに設定し，前記インクジェットプリンタから得られた前記管理番号の印字履歴から，枚葉加工機に投入された前記用紙の枚数である投入枚数を求めて出力する投入枚数管理手段と，前記排紙部コードリーダから送信された前記管理番号の履歴を排紙側の読み取り履歴として記憶し，前記排紙側の読み取り履歴から，枚葉加工機で加工された前記用紙の枚数である加工枚数を求めて出力する加工枚数管理手段と，枚葉加工機で加工が終了すると，投入枚数から加工枚数を差し引くことで，損紙となった前記用紙の枚数である損紙枚数を求めて出力する損紙枚数管理手段を備え，
ことを特徴とする枚葉加工機の員数管理システム。
【請求項２】
前記員数管理装置の前記損紙枚数管理手段は，損紙がある場合，前記管理番号の印字履歴に含まれるが，前記管理番号の読み取り履歴には含まれない前記管理番号を損紙の前記管理番号として抽出し，損紙枚数と共に，抽出した前記管理番号を出力することを特徴とする，請求項１に記載した員数管理システム。
【請求項３】
前記排紙側の読み取り信号が入力されると，前記排紙側の読み取り信号の入力回数をカウントし，前記排紙側の読み取り信号の入力回数を前記員数管理装置へ送信する排紙カウンタを枚葉加工機の排紙部に設置し，前記員数管理装置の前記加工枚数管理手段は，前記排紙カウンタから送信された前記排紙側の読み取り信号の入力回数から導出される前記管理番号の期待値と前記排紙部コードリーダから送信された前記管理番号を照合し，照合に失敗すると，前記排紙部コードリーダから送信された前記管理番号に前記管理番号の期待値を関連付けた履歴を記憶する，請求項２に記載した員数管理システム。
【請求項４】
枚葉加工機の給紙部に設置する前記インクジェットプリンタの上流側に，給紙側の読み取り信号が外部から入力されると，枚葉加工機の給紙部からフィードされた前記用紙に印字されている前記管理番号を読み取り，読み取った前記管理番号を前記員数管理装置へ送信する給紙部コードリーダを設け，前記員数管理装置の前記投入枚数管理手段は，前記給紙部コードリーダが前記管理番号の読み取りに成功すると，枚葉加工機を機械停止させる信号を出力することを特徴とする，請求項２に記載した員数管理システム。
【発明の詳細な説明】
【技術分野】
【０００１】
オフセット枚葉印刷機などシート状の用紙を加工する枚葉加工機において、枚葉加工機に投入した用紙の員数を管理する技術に関する。
【背景技術】
【０００２】
オフセット枚葉印刷機，活版枚葉印刷機，スクリーン枚葉印刷機，グラビア枚葉印刷機，枚葉折り機，箔押し枚葉機またはエンボス枚葉機など，シート状の用紙を加工する枚葉加工機で用紙を加工する際，セキュリティの高い品目では，枚葉加工機に投入した用紙の員数管理が要求される。
【０００３】
現状，枚葉加工時の員数管理として，枚葉加工機に投入した用紙の枚数である投入枚数と，枚葉加工機で加工された用紙の枚数である加工枚数と，枚葉加工機で加工されたときに損紙となった用紙の枚数である損紙枚数を計測し，加工枚数と損紙枚数を足した枚数と投入枚数が一致するか確認する作業を行う必要がある。また，枚葉加工後の後工程として，枚葉加工機で加工した用紙の全数検査を実施する場合，枚葉加工後の員数管理として，良品の枚数と不良品の枚数を計測し，良品の枚数と不良品の枚数を足した枚数が加工枚数と一致するか確認する作業を行う必要がある。
【０００４】
このように，枚葉加工機に投入した用紙の員数管理を行うと，多大な労力がかかるため，枚葉加工機に投入した用紙の員数を管理する作業を簡素化できることが望まれる。
【０００５】
枚葉加工機に投入した用紙の員数を管理する作業を簡素化できる発明として，用紙の員数作業の効率化及び正確化を達成できるシステムが特許文献１で開示されている。しかし，セキュリティの高い品目では，枚葉加工後（例えば，印刷後）の用紙の全数管理が必要となるが，特許文献１で開示されている発明は，枚葉加工機で用紙を加工する際の員数を計測できるが，枚葉加工後の用紙の全数管理については考慮していない。
【先行技術文献】
【特許文献】
【０００６】
【特許文献１】特開２０００−２１５２９７号公報
【発明の概要】
【発明が解決しようとする課題】
【０００７】
そこで，本発明は，枚葉加工機に投入した用紙の員数を管理できるだけでなく，枚葉加工後の用紙を全数管理できる枚葉加工機の員数管理システムを提供することを目的とする。
【課題を解決するための手段】
【０００８】
上述した課題を解決する第１の発明は，枚葉加工機の給紙部に設置するインクジェットプリンタと，枚葉加工機の排紙部に設置する排紙部コードリーダと，枚葉加工機に投入した用紙の員数を管理するために設置する員数管理装置とから少なくとも構成される枚葉加工機の員数管理システムである。
【０００９】
第１の発明に係る前記インクジェットプリンタは，枚葉加工機に投入された前記用紙を識別できるように，印字信号が外部から入力されると，枚葉加工機の給紙部から給紙される前記用紙に，前記員数管理装置が設定した印字条件に従い前記用紙毎に異なる管理番号を印字すると共に，前記用紙に印字した前記管理番号の印字履歴を記憶する。
【００１０】
第１の発明に係る前記排紙部コードリーダは，枚葉加工機で加工された前記用紙を識別できるように，排紙側の読み取り信号が外部から入力されると，枚葉加工機の排紙部から排出された前記用紙に印字されている前記管理番号を読み取り，読み取った前記管理番号を前記員数管理装置へ送信する。
【００１１】
第１の発明に係る前記員数管理装置は，枚葉加工機に投入された前記用紙の員数，枚葉加工機で加工された前記用紙の員数および枚葉加工機で損紙となった前記用紙の員数を管理できるように，枚葉加工機の給紙部から加工部に搬送される前記用紙に印字する前記管理番号の印字内容を前記インクジェットプリンタに設定し，前記インクジェットプリンタから得られた前記管理番号の印字履歴から，枚葉加工機に投入された前記用紙の枚数である投入枚数を求めて出力する投入枚数管理手段と，前記排紙部コードリーダから送信された前記管理番号の履歴を排紙側の読み取り履歴として記憶し，前記排紙側の読み取り履歴から，枚葉加工機で加工された前記用紙の枚数である加工枚数を求めて出力する加工枚数管理手段と，枚葉加工機で加工が終了すると，投入枚数から加工枚数を差し引くことで，損紙となった前記用紙の枚数である損紙枚数を求めて出力する損紙枚数管理手段を備える。
【００１２】
更に，第２の発明は，第１の発明に記載した枚葉加工機の員数管理システムにおいて，枚葉加工機で損紙となった前記用紙を識別できるように，前記員数管理装置の前記損紙枚数管理手段は，損紙がある場合，前記管理番号の印字履歴に含まれるが，前記管理番号の読み取り履歴には含まれない前記管理番号を損紙の前記管理番号として抽出し，損紙枚数と共に，抽出した前記管理番号を出力することを特徴とする。
【００１３】
更に，第３の発明は，第２の発明に記載した枚葉加工機の員数管理システムにおいて，前記管理番号を一度印字してしまった前記用紙が誤って再度給紙されたことがわかるように，前記排紙側の読み取り信号が入力されると，前記排紙側の読み取り信号の入力回数をカウントし，前記排紙側の読み取り信号の入力回数を前記員数管理装置へ送信する排紙カウンタを枚葉加工機の排紙部に設置し，前記員数管理装置の前記加工枚数管理手段は，前記排紙カウンタから送信された前記排紙側の読み取り信号の入力回数から導出される前記管理番号の期待値と前記排紙部コードリーダから送信された前記管理番号を照合し，照合に失敗すると，前記排紙部コードリーダから送信された前記管理番号に前記管理番号の期待値を関連付けた履歴を記憶することを特徴とする。
【００１４】
また，第４の発明は，第２の発明に記載した枚葉加工機の員数管理システムにおいて，前記管理番号を一度印字してしまった前記用紙が誤って再度給紙されたことがわかるように，枚葉加工機の給紙部に設置する前記インクジェットプリンタの上流側に，給紙側の読み取り信号が外部から入力されると，枚葉加工機の給紙部からフィードされた前記用紙に印字されている前記管理番号を読み取り，読み取った前記管理番号を前記員数管理装置へ送信する給紙部コードリーダを設け，前記員数管理装置の前記投入枚数管理手段は，前記給紙部コードリーダが前記管理番号の読み取りに成功すると，枚葉加工機を機械停止させる信号を出力することを特徴とする。
【発明の効果】
【００１５】
このように，本実施形態の枚葉加工機の員数管理システムによれば，枚葉加工機の給紙部で管理番号を用紙に印字し、枚葉加工機の排紙部で管理番号を読み取ることで、枚葉加工機に投入された用紙の員数等を管理できるばかりでなく，枚葉加工機に投入された用紙それぞれを識別できるため，枚葉加工機で加工された用紙を全数管理できる。
【図面の簡単な説明】
【００１６】
【図１】枚葉加工機の員数管理システムを説明する図。
【図２】インクジェットプリンタを説明する図。
【図３】インクジェットプリンタが用紙に印字する管理番号を説明する図。
【図４】排紙部コードリーダを説明する図。
【図５】員数管理装置を説明する図。
【図６】第２の手法を実現するために必要な排紙カウンタを説明する図。
【図７】第１の手法を実現するために必要な給紙部コードリーダを説明する図。
【発明を実施するための形態】
【００１７】
ここから，本発明の好適な実施形態を記載する。なお，以下の記載は本発明の範囲を束縛するものでなく，理解を助けるために記述するものである。
【００１８】
図１は，本実施形態にかかる枚葉加工機の員数管理システム１を説明する図で，本実施形態では，枚葉加工機をオフセット枚葉印刷機２としている。図１に図示したように，本実施形態にかかる枚葉加工機の員数管理システム１は，オフセット枚葉印刷機２に投入された用紙３の員数を管理するために設置された員数管理装置１０と，オフセット枚葉印刷機２の給紙部２０に設置されたインクジェットプリンタ１１と，オフセット枚葉印刷機２の排紙部２２に設置された排紙部コードリーダ１２とから少なくとも構成され，インクジェットプリンタ１１と排紙部コードリーダ１２はＰＬＣ１３（Programmable Logic Controller）を介して員数管理装置１０と接続している。
【００１９】
図２は，インクジェットプリンタ１１を説明する図である。本実施形態のインクジェットプリンタ１１は，マーキングに利用するタイプの装置で，コントローラ１１ａとプリンタヘッド１１ｂから構成される。
【００２０】
図２に図示したように，インクジェットプリンタ１１のプリンタヘッド１１ｂは，オフセット枚葉印刷機２の給紙部２０のフィーダボード２０ａで搬送される用紙３に管理番号を印字できるように，オフセット枚葉印刷機２のフィーダボード２０ａの上方に配置される。また，本実施形態では，インクジェットプリンタ１１のプリンタヘッド１１ｂの上流に，管理番号の印字対象となる用紙３を検知する投受光型の用紙検知センサ１１ｃを設置し，用紙検知センサ１１ｃの信号はコントローラ１１ａに入力される。
【００２１】
オフセット枚葉印刷機２で印刷が行われる際，インクジェットプリンタ１１のコントローラ１１ａには，用紙３に印字する管理番号の印字内容と印字条件が員数管理装置１０によって設定され，オフセット枚葉印刷機２で印刷が行われている間，インクジェットプリンタ１１のコントローラ１１ａは，外部から印字信号が入力されると，プリンタヘッド１１ｂを作動させて，員数管理装置１０が設定した印字内容と印字条件に基づき，用紙３毎に異なる管理番号を用紙３に所定の印字形態で印字し，用紙３に印字した管理番号の印字履歴を記憶する動作を行う。
【００２２】
員数管理装置１０が設定する管理番号の印字条件は，インクジェットプリンタ１１の仕様によって異なるが，管理番号の印字条件には，少なくとも，管理番号の印字形態およびサイズが含まれる。用紙３に印字する管理番号の印字内容は，員数管理装置１０側で予め生成し，管理番号の印字が終了する毎に，員数管理装置１０が，インクジェットプリンタ１１のコントローラ１１ａに印字する管理番号を指定するように構成することもできるが，管理番号は連番でよいので，連番生成機能を有するコントローラ１１ａであれば，管理番号の印字内容として管理番号の初期値を設定し，コントローラ１１ａ内で管理番号（連番）を自動生成させるとよい。
【００２３】
インクジェットプリンタ１１のコントローラ１１ａに入力される印刷信号は，管理番号の印字のトリガーとなる信号で，オフセット枚葉印刷機２の給紙部２０から印刷部２１へ供給される用紙３毎に生成される信号である。図２に図示したように，本実施形態では，投受光型の用紙検知センサ１１ｃをオフセット枚葉印刷機２の給紙部２０に設置し，用紙検知センサ１１ｃが用紙３を検知した信号を印刷信号に用いているが，オフセット枚葉印刷機２から得られる信号（例えば，２枚差しの検査信号）を印字信号として用いることもできる。
【００２４】
外部から印字信号がインクジェットプリンタ１１のコントローラ１１ａに入力される毎に，インクジェットプリンタ１１のコントローラ１１ａは管理番号を印字する動作を行い，この動作が繰り返し実行されることで，オフセット枚葉印刷機２に投入された用紙３に所定の印字形態の管理番号が印字されることになる。
【００２５】
インクジェットプリンタ１１のコントローラ１１ａが用紙３に印字した管理番号の印字履歴を記憶する内容は，インクジェットプリンタ１１の仕様に依存する。印字内容を他の装置へ出力できる仕様であれば，インクジェットプリンタ１１のコントローラ１１ａは，用紙３に印字した管理番号を員数管理装置１０へ送信し，用紙３に印字した管理番号の印字履歴を員数管理装置１０へ記憶させる。また，メモリカードに印字内容を記録する仕様であれば，インクジェットプリンタ１１のコントローラ１１ａは，メモリカードに用紙３に印字した管理番号の印字履歴を記憶する。
【００２６】
図３は，インクジェットプリンタ１１が用紙３に印字する管理番号を説明する図である。管理番号は，オフセット枚葉印刷機２に投入する用紙３それぞれを識別するために利用するために印字する情報で，用紙３の余白部に印刷される。図３では，管理番号の印字形態を１次元バーコード３０としているが，管理番号の印字形態は２次元バーコードやＯＣＲ文字でもよく，用途に応じて管理番号の印字形態を使い分けることができる。なお，用紙３に印字した管理番号の乾燥が遅いと，管理番号が印刷時に擦れるなどして不良が発生するため，管理番号の印字には速乾性の高いインキを用いるとよい。
【００２７】
図４は，排紙部コードリーダ１２を説明する図である。排紙部コードリーダ１２は，インクジェットプリンタ１１が印字した管理番号を読み取る機器で，インクジェットプリンタ１１が印字する管理番号の印字形態に対応したリーダになる。例えば，管理番号の印字形態が１次元バーコードならば，排紙部コードリーダ１２は１次元バーコードリーダになる。本実施形態では，排紙部コードリーダ１２は，オフセット枚葉印刷機２の排紙部２２のデリバリチェーン２２ｃで搬送されて，排紙部２２の前当２２ａに突き当たる用紙３から管理番号を読み取れるように，オフセット枚葉印刷機２の排紙部２２の前当の右上方に設置されている。
【００２８】
オフセット枚葉印刷機２で印刷が行われている間，排紙部コードリーダ１２は，読み取り信号が外部から入力されると，用紙３に印字されている管理番号を読み取り，管理番号を読み取れた場合は，読み取った管理番号を員数管理装置１０へ送信し，管理番号を読み取れなかった場合は，管理番号の読み取りエラーを員数管理装置１０へ送信する動作を行う。
【００２９】
排紙部コードリーダ１２に入力される読み取り信号は，管理番号を読み取るトリガーとなる信号で，オフセット枚葉印刷機２の排紙部２２へ排紙される用紙３毎に生成される信号である。例えば，オフセット枚葉印刷機２の排紙部２２にエンコーダを取り付け，オフセット枚葉印刷機２の排紙部２２の爪２２ｂが用紙３を離すタイミングを読み取り信号として用いることができる。
【００３０】
読み取り信号が排紙部コードリーダ１２に入力される毎に，排紙部コードリーダ１２は用紙から管理番号を読み取る動作を行い，この動作が繰り返し実行されることで，排紙部コードリーダ１２が用紙３から読み取った管理番号の履歴である排紙側の読み取り履歴が員数管理装置１０に記憶されることになる。
【００３１】
図５は，員数管理装置１０を説明する図である。員数管理装置１０は，ＣＰＵで動作する汎用のコンピュータを用いて実現される装置である。図５に図示したように，員数管理装置１０は，コンピュータプログラムによって実現される機能として，オフセット枚葉印刷機２の給紙部２０から印刷部２１に搬送される用紙３に印字する管理番号の印字内容をインクジェットプリンタ１１に設定し，インクジェットプリンタ１１から得られた管理番号の印字履歴から，オフセット枚葉印刷機２に投入された用紙３の枚数である投入枚数を求めて出力する投入枚数管理手段１００と，排紙部コードリーダ１２から送信された管理番号の履歴を排紙側の読み取り履歴として記憶し，排紙側の読み取り履歴から，オフセット枚葉印刷機２で加工された用紙３の枚数である加工枚数を求めて出力する加工枚数管理手段１０１と，オフセット枚葉印刷機２で印刷が終了すると，投入枚数から加工枚数を差し引くことで，損紙となった用紙３の枚数である損紙枚数を求めて出力する損紙枚数管理手段１０２を備える。
【００３２】
員数管理装置１０の投入枚数管理手段１００がインクジェットプリンタ１１に設定する管理番号の印字内容については既に上述している。員数管理装置１０の投入枚数管理手段１００が，インクジェットプリンタ１１から管理番号の印字履歴を取得する手法は，インクジェットプリンタ１１の仕様に依存する。インクジェットプリンタ１１のコントローラ１１ａが印字した内容を他の装置へ出力できる仕様であれば，印刷中に，インクジェットプリンタ１１のコントローラ１１ａから送信された管理番号が員数管理装置１０に記憶されることになる。また，インクジェットプリンタ１１のコントローラ１１ａがメモリカードに印字した内容を記録する仕様であれば，印刷が終了した後，メモリカードを介して，管理番号の印字履歴が員数管理装置１０に記憶されることになる。そして，員数管理装置１０の投入枚数管理手段１００は，オフセット枚葉印刷機２で印刷が終了すると，インクジェットプリンタ１１から取得した管理番号の履歴に含まれる管理番号の数をカウントすることで，オフセット枚葉印刷機２に投入された用紙３の数である投入枚数を求める。
【００３３】
また，排紙部コードリーダ１２は，管理番号を読み取る毎に，用紙３から読み取った管理番号を員数管理装置１０へ送信するため，員数管理装置１０の加工枚数管理手段１０１は，排紙部コードリーダ１２から管理番号が送信されると，排紙部コードリーダ１２から送信された管理番号の履歴を排紙側の読み取り履歴として記憶し，記憶した管理番号の数をインクリメントすることで，オフセット枚葉印刷機２で印刷となった用紙３の数である加工枚数を求めることになる。
【００３４】
本実施形態に係る員数管理装置１０の損紙枚数管理手段１０２は，オフセット枚葉印刷機２による印刷が終了すると，投入枚数管理手段１００が求めた投入枚数から，加工枚数管理手段１０１が求めた加工枚数を差し引くことで，オフセット枚葉印刷機２で損紙となった用紙３の数である損紙枚数を求める。
【００３５】
また，インクジェットプリンタ１１の印字不良や，用紙３の汚れなどで，排紙部コードリーダ１２が管理番号の読み取りに失敗した場合，この用紙３に係る管理番号は，排紙側の印字履歴含まれないことになるため，本実施形態に係る員数管理装置１０の損紙枚数管理手段１０２は，損紙枚数が０枚であるか確認することで，オフセット枚葉印刷機２で損紙となった用紙３があるか確認し，オフセット枚葉印刷機２で損紙となった用紙３があれば，管理番号の印字履歴に含まれるが，排紙側の読み取り履歴には含まれない管理番号を損紙の管理番号として抽出することで，オフセット枚葉印刷機２で損紙となった用紙３の管理番号を抽出し，損紙枚数と共に，抽出した管理番号を出力する。
【００３６】
このように，本実施形態の枚葉加工機の員数管理システム１によれば，オフセット枚葉印刷機２の給紙部２０で管理番号を用紙３に印字し、オフセット枚葉印刷機２の排紙部２２で管理番号を読み取ることで、オフセット枚葉印刷機２に投入された用紙３の員数，オフセット枚葉印刷機２で加工された用紙３の員数およびオフセット枚葉印刷機２で損紙となった用紙３の員数を管理できるばかりでなく，オフセット枚葉印刷機２に投入された用紙３それぞれを識別できるため，オフセット枚葉印刷機２で印刷された用紙３を全数管理できる。
【００３７】
上述した内容でも基本的に問題ないが，機械非常停止などでイレギュラーにオフセット枚葉印刷機２が停止した際、オフセット枚葉印刷機２のオペレータが，管理番号を一度印字してしまった用紙３を誤って再度給紙してしまうと，加工枚数に損紙枚数を加算した枚数が投入枚数と一致しなくなる。
【００３８】
例えば，管理番号「４」を用紙３に印字した直後に機械非常停止が行われ，管理番号「４」を印字した用紙３を給紙部２０に戻してしまうと，管理番号「４」の上に管理番号「５」が印字されてしまう。管理番号として「１」から「１０」を印字するものとして考えると，インクジェットプリンタ１１の印字回数は１０回で投入枚数は１０枚として求められる。また，インクジェットプリンタ１１が印字した管理番号の中から，管理番号「４」，「５」が読み取れないことになるため，排紙側で読み取られた管理番号の数は８個で加工枚数は８枚として求められる。このケースでは，管理番号の読み取りエラーとなった用紙３の枚数は１枚になるため，加工枚数（８枚）に損紙枚数（１枚）を加算した枚数（９枚）は投入枚数（１０枚）と一致しない。
【００３９】
このようなことを回避する手法として，インクジェットプリンタ１１が管理番号を用紙３を印字する前に，用紙３に管理番号が印字されていないかチェックする第１の手法と，オフセット枚葉印刷機２の排紙部２２に排出された用紙３の枚数をカウントし，排出された用紙３の枚数から導出される管理番号の期待値と排紙部コードリーダ１２から送信された管理番号を照合する第２の手法が考えられる。
【００４０】
まず，管理番号の期待値と排紙部コードリーダ１２が読み取った管理番号を照合する第２の手法について説明する。図６は，第２の手法を実現するために必要な排紙カウンタ１４を説明する図である。
【００４１】
第２の手法を実現するとき，オフセット枚葉印刷機２の排紙部２２には，排紙側の読み取り信号が入力されると，排紙側の読み取り信号の入力回数をカウントし，排紙側の読み取り信号の入力回数を員数管理装置１０へ送信する排紙カウンタ１４が設置され，排紙カウンタ１４に入力される排紙側の読み取り信号は，図４と同様に，排紙部コードリーダ１２にも入力される。
【００４２】
このように構成することにより，排紙側の読み取り信号が発生すると，員数管理装置１０には，排紙カウンタ１４から排紙側の読み取り信号の入力回数（ここでは，排出された用紙３の枚数になる）が，そして，排紙部コードリーダ１２から管理番号の読み取り結果が送信されることになる。
【００４３】
員数管理装置１０の加工枚数管理手段１０１は，排紙カウンタ１４から排紙側の読み取り信号の入力回数が，そして，排紙部コードリーダ１２から管理番号の読み取り結果が送信されると，排紙カウンタから送信された排紙側の読み取り信号の入力回数から導出される管理番号の期待値と排紙部コードリーダ１２から送信された管理番号を照合し，照合に失敗すると，排紙部コードリーダ１２から送信された管理番号に管理番号の期待値を関連付けた履歴を記憶する。
【００４４】
なお，管理番号の期待値は，投入枚数管理手段１００がインクジェットプリンタ１１に設定した印字内容と，排紙カウンタから送信された排紙側の読み取り信号の入力回数から導出でき，例えば，管理番号が通数連番ならば，管理番号の期待値は，排紙側の読み取り信号の入力回数そのものになる。
【００４５】
管理番号の照合に失敗したとき，排紙部コードリーダ１２から送信された管理番号に管理番号の期待値を関連付けた履歴を記憶すれば，この履歴から，オフセット枚葉印刷機２に投入されたが，オフセット枚葉印刷機２から排出されなかった用紙３の枚数を把握することができる。上記の例の場合、管理番号が「５」となるべきところで、排紙部コードリーダ１２は管理番号「６」を読み取るため管理番号の照合に失敗し、これ以降，排紙部コードリーダ１２から送信された管理番号と管理番号の期待値は一つずつずれることになるため，オフセット枚葉印刷機２に投入されたが，オフセット枚葉印刷機２から排出されなかった用紙３の枚数は１枚と把握することができる。
【００４６】
インクジェットプリンタ１１が管理番号を用紙３を印字する前に，用紙３に管理番号が印字されていないかチェックする第１の手法について説明する。図７は，第１の手法を実現するために必要な給紙部コードリーダ１１ｄを説明する図である。
【００４７】
第１の手法を実現するとき，オフセット枚葉印刷機２の給紙部２０には，インクジェットプリンタ１１の上流側に，給紙側の読み取り信号が外部から入力されると，オフセット枚葉印刷機２の給紙部２０からフィードされた用紙３に印字されている管理番号を読み取り，読み取った管理番号を員数管理装置１０へ送信する給紙部コードリーダ１１ｄが設けられる。
【００４８】
図７では，給紙側の読み取り信号に投受光型の用紙検知センサ１１ｃの信号を用い，給紙部コードリーダ１１ｄは，投受光型の用紙検知センサ１１ｃの信号が入力された時に管理番号を読み取る動作を行い，インクジェットプリンタ１１の動作は，投受光型の用紙検知センサ１１ｃの信号が入力された時から遅延させる。
【００４９】
員数管理装置１０の投入枚数管理手段１００は，給紙部コードリーダ１１ｄが管理番号の読み取りに成功すると，すなわち，給紙部コードリーダ１１ｄから管理番号を受信すると，オフセット枚葉印刷機２を機械停止させる信号を出力する。
【符号の説明】
【００５０】
１    枚葉加工機の員数管理システム
１０  員数管理装置
１００  投入枚数管理手段
１０１  加工枚数管理手段
１０２  損紙枚数管理手段
１１  インクジェットプリンタ
１１ａ  コントローラ
１１ｂ  プリンタヘッド
１１ｃ  用紙検知センサ
１１ｄ  給紙部コードリーダ
１２  排紙部コードリーダ
１３  ＰＬＣ
１４  排紙カウンタ
２    オフセット枚葉印刷機
２０  給紙部
２０ａ  フィーダボード
２１  印刷部
２２  排紙部
２２ａ  前当
２２ｂ  爪
２２ｃ  デリバリチェーン
３      用紙
３０    管理番号をエンコードした１次元バーコード
【図１】
2015009416.tif 000003
【図２】
2015009416.tif 000004
【図３】
2015009416.tif 000005
【図４】
2015009416.tif 000006
【図５】
2015009416.tif 000007
【図６】
2015009416.tif 000008
【図７】
2015009416.tif 000009